(57)【要約】  本開示は、単一のアンテナを有する第１のワイヤレスデバイスと、複数のアンテナを有する第２のワイヤレスデバイスとの間のワイヤレス通信チャネルのチャネル条件情報を決定するための方法を実施することを説明する。方法によれば、チャネル条件情報は、第１のワイヤレスデバイスに転送されてもよい。一部の例において、転送されたチャネル情報に基づいて、第１のワイヤレスデバイスは、ワイヤレス通信チャネルに関連付けられている１つまたは複数の周波数を介して送信すべきデータを事前符号化することができる。
2013541266.tif 000002
【特許請求の範囲】
【請求項１】
単一のアンテナを有する第１のワイヤレスデバイスと、複数のアンテナを有する第２のワイヤレスデバイスとの間のワイヤレス通信チャネルのチャネル条件情報を決定することと、
前記チャネル条件情報を前記第１のワイヤレスデバイスに転送することであって、転送された前記チャネル条件情報に基づいて、前記第１のワイヤレスデバイスは、前記ワイヤレス通信チャネルに関連付けられた複数の周波数のうちの１つまたは複数を介して送信すべきデータを事前符号化する、こととを備える方法。
【請求項２】
チャネル条件情報は、前記１つまたは複数の周波数の信号対雑音比、１つまたは複数の周波数に関連付けられている歪み、前記１つまたは複数の周波数に関連付けられているビットエラー率、または前記１つまたは複数の周波数に関連付けられているフェーディング特性のうちの１つを含む請求項１に記載の方法。
【請求項３】
前記複数の周波数のうちの１つまたは複数の周波数が、前記１つまたは複数の周波数を特徴付ける品質メトリックの変化しきい値を超過していることを、チャネル条件情報が示しているかどうか決定することと、
前記変化率しきい値を超過していない場合、前記チャネル条件情報を転送することとをさらに備える請求項１に記載の方法。
【請求項４】
前記品質メトリックは、前記１つまたは複数の周波数の信号対雑音比、前記１つまたは複数の周波数に関連付けられているビットエラー率、または前記１つまたは複数の周波数に関連付けられているフェーディング特性のうちの１つを含む請求項３に記載の方法。
【請求項５】
前記チャネル条件情報を決定することは、前記第２のワイヤレスデバイスが前記ワイヤレス通信チャネルを介して前記第１のワイヤレスデバイスに通信可能に結合されている間に前記第２のワイヤレスデバイスの前記複数のアンテナから取得された特性情報に基づいて前記チャネル条件情報を決定することを備える請求項１に記載の方法。
【請求項６】
前記特性情報は、前記１つまたは複数の周波数の信号対雑音比、１つまたは複数の周波数に関連付けられている歪み、前記１つまたは複数の周波数に関連付けられているビットエラー率、あるいは前記１つまたは複数の周波数に関連付けられているフェーディング特性のうちの１つを含む請求項５に記載の方法。
【請求項７】
複数のアンテナを有する送信機から、単一のアンテナを介してチャネル条件情報を受信することであって、前記チャネル条件情報は、ワイヤレス通信チャネルに関連付けられた複数の周波数のうちの１つまたは複数を介してデータを前記送信機に送信することに関連する情報を含む、受信することと、
前記複数の周波数のうちの前記１つまたは複数を介して前記送信機に送信すべきデータを、前記チャネル条件情報に基づいて事前符号化することと、
事前符号化された前記データを、前記複数の周波数のうちの前記１つまたは複数を介して前記送信機に送信することとを備える方法。
【請求項８】
事前符号化することは、空間ビーム形成または空間符号化のうちの１つを含む請求項７に記載の方法。
【請求項９】
チャネル条件情報は、前記１つまたは複数の周波数の信号対雑音比、１つまたは複数の周波数に関連付けられている歪み、前記１つまたは複数の周波数に関連付けられているビットエラー率、または前記１つまたは複数の周波数に関連付けられているフェーディング特性のうちの１つを含む請求項８に記載の方法。
【請求項１０】
前記チャネル条件情報は、前記送信機が前記ワイヤレス通信チャネルに結合されている間に前記送信機の前記複数のアンテナから取得された特性情報に基づいて決定される請求項７に記載の方法。
【請求項１１】
前記特性情報は、前記１つまたは複数の周波数の信号対雑音比、１つまたは複数の周波数に関連付けられている歪み、前記１つまたは複数の周波数に関連付けられているビットエラー率、または前記１つまたは複数の周波数に関連付けられているフェーディング特性のうちの１つを含む請求項１０に記載の方法。
【請求項１２】
チャネル条件マネージャを備え、前記チャネル条件マネージャは、
単一のアンテナを有する第１のワイヤレスデバイスと、複数のアンテナを有する第２のワイヤレスデバイスとの間のワイヤレス通信チャネルのチャネル条件情報を決定し、
前記チャネル条件情報を前記第１のワイヤレスデバイスに転送するように構成された論理部を含み、転送された前記チャネル条件情報に基づいて、前記第１のワイヤレスデバイスは、前記ワイヤレス通信チャネルに関連付けられた複数の周波数のうちの１つまたは複数を介して送信すべきデータを事前符号化する、装置。
【請求項１３】
前記チャネル条件情報を決定することは、前記第２のワイヤレスデバイスが前記ワイヤレス通信チャネルを介して前記第１のワイヤレスデバイスに通信可能に結合されている間に前記第２のワイヤレスデバイスの前記複数のアンテナから取得された特性情報に基づいて前記チャネル条件情報を決定することを備える請求項１２に記載の装置。
【請求項１４】
前記特性情報は、前記１つまたは複数の周波数の信号対雑音比、１つまたは複数の周波数に関連付けられている歪み、前記１つまたは複数の周波数に関連付けられているビットエラー率、または前記１つまたは複数の周波数に関連付けられているフェーディング特性のうちの１つを含む請求項１３に記載の装置。
【請求項１５】
事前符号化マネージャを備え、前記事前符号化マネージャは、
複数のアンテナを有する送信機から、単一のアンテナを介して、ワイヤレス通信チャネルに関連付けられた複数の周波数のうちの１つまたは複数を介してデータを前記送信機に送信することに関連する情報を含むチャネル条件情報を受信し、
前記複数の周波数のうちの前記１つまたは複数を介して前記送信機に送信すべきデータを、前記チャネル条件情報に基づいて事前符号化し、
事前符号化された前記データを、前記複数の周波数のうちの前記１つまたは複数を介して前記送信機に送信するように構成された論理部を含む、装置。
【請求項１６】
事前符号化することは、空間ビーム形成または空間符号化のうちの１つを含む請求項１５に記載の装置。
【請求項１７】
チャネル条件情報は、前記１つまたは複数の周波数の信号対雑音比、１つまたは複数の周波数に関連付けられている歪み、前記１つまたは複数の周波数に関連付けられているビットエラー率、または前記１つまたは複数の周波数に関連付けられているフェーディング特性のうちの１つを含む請求項１６に記載の装置。
【請求項１８】
チャネル条件情報を転送するためのシステムであって、
複数のアンテナを含むアンテナアレイと、
チャネル条件マネージャとを備え、前記チャネル条件マネージャは、
単一のアンテナを有するワイヤレスデバイスとのワイヤレス通信チャネルのチャネル条件情報を決定し、
前記チャネル条件情報を前記ワイヤレスデバイスに転送するように構成された論理部を含み、転送された前記チャネル条件情報に基づいて、前記ワイヤレスデバイスは、前記ワイヤレス通信チャネルに関連付けられた複数の周波数のうちの１つまたは複数を介して送信すべきデータを事前符号化する、システム。
【請求項１９】
前記チャネル条件情報を決定することは、前記アンテナアレイが前記ワイヤレス通信チャネルに結合されている間に前記アンテナアレイから取得された特性情報に基づいて前記チャネル条件情報を決定することを備える請求項１８に記載のシステム。
【請求項２０】
前記特性情報は、前記１つまたは複数の周波数の信号対雑音比、１つまたは複数の周波数に関連付けられている歪み、前記１つまたは複数の周波数に関連付けられているビットエラー率、または前記１つまたは複数の周波数に関連付けられているフェーディング特性のうちの１つを含む請求項１９に記載のシステム。
【請求項２１】
ワイヤレス通信チャネルを介して事前符号化されたデータを送信するための命令を有する信号搬送媒体を備えるコンピュータプログラム製品であって、前記命令は、論理部によって実行されるとき、前記論理部に、
複数のアンテナを有する送信機から、単一のアンテナを介して、前記ワイヤレス通信チャネルに関連付けられた複数の周波数のうちの１つまたは複数を介してデータを前記送信機に送信することに関連する情報を含むチャネル条件情報を受信させ、
前記複数の周波数のうちの前記１つまたは複数を介して前記送信機に送信すべきデータを、前記チャネル条件情報に基づいて事前符号化させ、
事前符号化された前記データを、前記複数の周波数のうちの前記１つまたは複数を介して前記送信機に送信させる、コンピュータプログラム製品。
【請求項２２】
前記チャネル条件情報は、前記送信機が前記ワイヤレス通信チャネルに結合されている間に前記送信機の前記複数のアンテナから取得された特性情報に基づいて決定される請求項２１に記載のコンピュータプログラム製品。
【請求項２３】
前記特性情報は、前記複数の周波数の各周波数の信号対雑音比、１つまたは複数の周波数に関連付けられている歪み、前記複数の周波数の各周波数に関連付けられているビットエラー率、または前記複数の周波数の各周波数に関連付けられているフェーディング特性のうちの１つを含む請求項２２に記載のコンピュータプログラム製品。 
【発明の詳細な説明】
【背景技術】
【０００１】
本明細書において特に指示のない限り、この節において説明される手法は、本願における特許請求の範囲に対する従来技術ではなく、またこの節に含有することにより従来技術であると認められるものではない。
【０００２】
ワイヤレス通信および／またはデータシステムは、データ帯域幅能力を高めるために複数のアンテナシステムを使用する方向に向かいつつある。たとえば、ＩＥＥＥ８０２．１１ｎ（ＷｉＦｉ）、ＩＥＥＥ８０２．１６ｅ（ＷｉＭａｘ）、ＬＴＥ、３ＧＰＰ、およびＥ−Ｕｌｔｒａのようなワイヤレス通信規格または技術は、多入力多出力（ＭＩＭＯ）機能を有するワイヤレスデバイスの使用を促進することができる。通常、ＭＩＭＯ対応デバイスは、通信チャネルを介してデータを受信（多入力）および送信（多出力）するために２つ以上のアンテナを有する。また、通信チャネルは、帯域幅のスペクトルチャネル内に複数の周波数を含むことができ、これを介してワイヤレスデバイス（たとえば、基地局、モバイルデバイス、コンピュータなど）が他のワイヤレスデバイスとの間でデータを転送することができる。新しいワイヤレス通信システムが配置され、一部の例において、基地局はＭＩＭＯ機能を有することができるが、基地局と通信するモバイルデバイスは、単一のアンテナしか有することができず、ＭＩＭＯ機能を有することはできない。
【発明の概要】
【０００３】
本開示は、単一のアンテナを有する第１のワイヤレスデバイスと、複数のアンテナを有する第２のワイヤレスデバイスとの間のワイヤレス通信チャネルのチャネル条件情報を決定するための方法を実施することを説明する。方法によれば、チャネル条件情報は、第１のワイヤレスデバイスに転送されてもよい。一部の例において、転送されたチャネル条件情報に基づいて、第１のワイヤレスデバイスは、ワイヤレス通信チャネルに関連付けられた複数の周波数のうちの１つまたは複数を介して送信すべきデータを事前符号化することができる。
【０００４】
本開示はまた、複数のアンテナを有する送信機から、単一のアンテナを介してチャネル条件情報を受信するための方法を説明する。チャネル条件情報は、ワイヤレス通信チャネルに関連付けられた複数の周波数のうちの１つまたは複数を介してデータを送信機に送信することに関連する情報を含むことができる。一部の例において、複数の周波数のうちの１つまたは複数を介して送信機に送信すべきデータは、チャネル条件情報に基づいて事前符号化されてもよい。次いで、事前符号化されたデータは、複数の周波数のうちの１つまたは複数を介して送信機に送信されてもよい。
【０００５】
本開示はまた、チャネルマネージャを有する例示のデバイスを説明する。チャネルマネージャは、論理部（logic）を含むことができる。論理部は、単一のアンテナを有する第１のワイヤレスデバイスと、複数のアンテナを有する第２のワイヤレスデバイスとの間のワイヤレス通信チャネルのチャネル条件情報を決定するように構成されてもよい。論理部はまた、チャネル条件情報を第１のワイヤレスデバイスに転送するように構成されてもよい。第１のワイヤレスデバイスは、転送されたチャネル条件情報に基づいてデータを事前符号化することができる。一部の例において、事前符号化されたデータは、ワイヤレス通信チャネルに関連付けられた複数の周波数のうちの１つまたは複数を介して送信されてもよい。
【０００６】
本開示はまた、事前符号化マネージャを有する例示のデバイスを説明する。事前符号化マネージャは、論理部を含むことができる。論理部は、複数のアンテナを有する送信機から、単一のアンテナを介してチャネル条件情報を受信するように構成されてもよい。一部の例において、チャネル条件情報は、ワイヤレス通信チャネルに関連付けられた複数の周波数のうちの１つまたは複数を介してデータを送信機に送信することに関連する情報を含むことができる。論理部はまた、チャネル条件情報に基づいて複数の周波数のうちの１つまたは複数を介して送信機に送信すべきデータを事前符号化し、次いで事前符号化されたデータを複数の周波数のうちの１つまたは複数を介して送信機に送信するように構成されてもよい。
【０００７】
本開示はまた、アンテナアレイおよびチャネル条件マネージャを有する例示のシステムを説明する。それらの例示のシステムによれば、アンテナアレイは、複数のアンテナを含むことができる。また、チャネル条件マネージャは、論理部を含むことができる。論理部は、単一のアンテナを有するワイヤレスデバイスとのワイヤレス通信チャネルのチャネル条件情報を決定するように構成されてもよく、チャネル条件情報をワイヤレスデバイスに転送することができる。一部の例において、転送されたチャネル条件情報に基づいて、ワイヤレスデバイスは、ワイヤレス通信チャネルに関連付けられた複数の周波数のうちの１つまたは複数を介して送信すべきデータを事前符号化することができる。
【０００８】
本開示はまた、例示のコンピュータプログラム製品を説明する。一部の例において、コンピュータプログラム製品は、ワイヤレス通信チャネルを介して事前符号化されたデータを送信するための命令を有する信号搬送媒体を含むことができる。命令は、論理部によって実行されるとき、論理部に、複数のアンテナを有する送信機から、単一のアンテナを介してチャネル条件情報を受信させることができる。一部の例において、チャネル条件情報は、ワイヤレス通信チャネルに関連付けられた複数の周波数のうちの１つまたは複数を介してデータを送信機に送信することに関連する情報を含むことができる。命令はまた、論理部に、チャネル条件情報に基づいて複数の周波数のうちの１つまたは複数を介して送信機に送信すべきデータを事前符号化させ、次いで事前符号化されたデータを複数の周波数のうちの１つまたは複数を介して送信機に送信させることができる。
【０００９】
本開示の前述およびその他の特徴は、付属の図面と併せて以下の説明と添付の特許請求の範囲を読めばさらに十分に明らかとなろう。これらの図面は開示によるいくつかの実施形態を示すにすぎず、したがってその範囲を限定すると見なされるものではないことを理解し、開示は添付の図面を用いてさらに具体的および詳細に説明される。
【図面の簡単な説明】
【００１０】
【図１】本開示に基づいて配置された、例示のワイヤレス通信システムを示す図である。
【図２】本開示に基づいて配置された、チャネル条件マネージャの例示のアーキテクチャを示すブロック図である。
【図３】本開示に基づいて配置された、事前符号化マネージャの例示のアーキテクチャを示すブロック図である。
【図４】本開示に基づいて配置された、チャネル条件情報を転送するための例示の方法を示す流れ図である。
【図５】本開示に基づいて配置された、チャネル条件情報を受信し、受信したチャネル条件情報に基づいてデータを事前符号化するための例示の方法を示す流れ図である。
【図６】本開示に基づいて配置された、例示のコンピュータプログラム製品を示すブロック図である。
【図７】本開示に基づいて配置された、例示のコンピューティングデバイスを示す図である。
【発明を実施するための形態】
【００１１】
以下の詳細な説明において、本明細書の一部を形成する付属の図面が参照される。図面において、文脈に特に指示がない限り、類似する符号は概して、類似するコンポーネントを識別する。詳細な説明、図面、および特許請求の範囲において説明される具体的例または実施形態は、限定的であることを意図されていない。本明細書において提示される主題の精神および範囲を逸脱することなく、その他の例または実施形態が使用されてもよく、その他の変更が行われてもよい。本明細書において概ね説明され、図面に示される本開示の態様が、多岐にわたるさまざまな構成において配置され、代替され、組み合わされ、設計されてもよく、それらすべては明示的に検討され、本開示の一部をなすことは容易に理解されよう。
【００１２】
本開示は、とりわけ、ワイヤレス通信チャネルのチャネル条件情報を転送すること、および転送されたチャネル条件情報に基づいてワイヤレス通信チャネルを介して送信すべきデータを事前符号化することに関連する方法、装置、システム、およびコンピュータプログラム製品を対象とする。
【００１３】
本開示において検討されるように、基地局はＭＩＭＯ機能を有することができるが、基地局と通信するモバイルデバイスは、単一のアンテナしか有することができず、ＭＩＭＯ機能を有することはできない。一部の例において、ＭＩＭＯ機能を有するワイヤレスデバイスは、その複数のアンテナを介するデータの受信中に取得した情報を使用して通信チャネルの条件を決定する能力を有することができ、そのチャネル条件情報を使用して、通信チャネルを介してデータを送信するための信号品質、データスループット、およびレンジを改善することができる。データ帯域幅を改善するためのチャネル条件情報の使用は、事前符号化と呼ばれてもよく、空間ビーム形成および空間符号化を含むことができる。しかし、ワイヤレスデバイスが単一のアンテナしか有していない場合、単一アンテナのワイヤレスデバイスは、同じ方法で通信チャネルの条件を自己決定する能力に欠ける。
【００１４】
一部の例において、方法は、チャネル条件情報をワイヤレスデバイスに転送するために実施される。方法は、単一のアンテナを有する第１のワイヤレスデバイスと、複数のアンテナを有する第２のワイヤレスデバイスとの間のワイヤレス通信チャネルのチャネル条件情報を決定することを含むことができる。決定されたチャネル条件情報は、第１のワイヤレスデバイスに転送されてもよく、チャネル条件情報に基づいて、第１のワイヤレスデバイスは、ワイヤレス通信チャネルに関連付けられた複数の周波数のうちの１つまたは複数を介して送信すべきデータを事前符号化することができる。
【００１５】
一部の例において、方法はまた、ワイヤレス通信チャネルを介して、事前符号化されたデータを送信するために実施される。それらの方法は、複数のアンテナを有する送信機から、単一のアンテナを介してチャネル条件情報を受信することを含むことができ、チャネル条件情報は、ワイヤレス通信チャネルに関連付けられた複数の周波数のうちの１つまたは複数を介してデータを送信機に送信することに関連する情報を含む。次いで、データは、複数の周波数のうちの１つまたは複数を介して送信機に送信するために事前符号化されてもよい。データは、チャネル条件情報に基づいて事前符号化されてもよく、次いで、事前符号化されたデータは、複数の周波数のうちの１つまたは複数を介して送信機に送信されてもよい。
【００１６】
図１は、例示のワイヤレス通信システム１００を示す。図１に示されるように、ワイヤレス通信システム１００は、ワイヤレスデバイス１１０およびワイヤレスデバイス１２０を含む。一部の例において、ワイヤレス通信システム１００の要素は、通信チャネル１３０を介して通信可能に結合されてもよい。図１に示されるように、通信チャネル１３０は、複数の周波数１３２、１３４、１３６、および１３８を含むことができるか、またはこれらに関連付けられてもよい。
【００１７】
一部の例において、ワイヤレス通信システム１００の少なくとも一部は、情報技術の米国電気電子学会（ＩＥＥＥ：Ｉｎｓｔｉｔｕｔｅ  ｆｏｒ  Ｅｌｅｃｔｒｉｃａｌ  ａｎｄ  Ｅｌｅｃｔｒｏｎｉｃｓ  Ｅｎｇｉｎｅｅｒｓ）の規格である、Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ−−Ｌｏｃａｌ  ａｎｄ  ｍｅｔｒｏｐｏｌｉｔａｎ  ａｒｅａ  ｎｅｔｗｏｒｋｓ−−Ｓｐｅｃｉｆｉｃ  ｒｅｑｕｉｒｅｍｅｎｔｓ  Ｐａｒｔ  １１：  ＷＬＡＮ  Ｍｅｄｉａ  Ａｃｃｅｓｓ  Ｃｏｎｔｒｏｌｌｅｒ（ＭＡＣ）  ａｎｄ  Ｐｈｙｓｉｃａｌ  Ｌａｙｅｒ（ＰＨＹ）  Ｓｐｅｃｉｆｉｃａｔｉｏｎｓ、２００９年１０月発行（「ＩＥＥＥ８０２．１１ｎ」）の改訂に従って動作することができるが、本開示は、ＩＥＥＥ８０２．１１ｎに従って動作するワイヤレス通信システムだけに限定されることはない。図１に示されているように、ワイヤレスデバイス１１０は、複数のアンテナを含むことができ、したがってＩＥＥＥ８０２．１１ｎに記述されるＭＩＭＯ機能を有することができるアンテナアレイ１１４を含む。
【００１８】
一部の例において、ＩＥＥＥ８０２．１１ｎで説明されるＭＩＭＯ機能は、所与のスペクトル幅（たとえば、４０メガヘルツ（ＭＨｚ））を有する通信チャネル（たとえば、通信チャネル１３０）上で複数の空間ストリームを介してデータを送信および／または受信するためにアンテナアレイ１１４を使用するワイヤレスデバイス１１０を有することができる。たとえば、空間分割多重（ＳＤＭ）のような技術は、別個のデータストリームを介してデータを送信および／または受信するためにアンテナアレイ１１４の別個のアンテナを使用することができる。別個のデータストリームは、通信チャネルの所与のスペクトル幅内の周波数（たとえば、周波数１３２〜１３８）を介して同時に転送されてもよい。たとえば、各々の周波数もまた、アンテナアレイ１１４のそれぞれのアンテナに関連付けられてもよい。
【００１９】
図１に示されるように、ワイヤレス通信システム１００は、アンテナ１２４を有するワイヤレスデバイス１２０を含む。一部の例において、アンテナ１２４は、ワイヤレスデバイス１２０を、通信チャネル１３０を介してワイヤレスデバイス１１０と通信可能に結合するための単一のアンテナを含む。これらの例において、単一のアンテナを有することにより、ワイヤレスデバイス１２０が、ＩＥＥＥ８０２．１１ｎに記述される少なくとも一部のＭＩＭＯ機能（たとえば、複数のアンテナを使用してデータを受信するときに周波数特性を決定する）を有することができない場合もある。後段においてさらに説明されるように、ワイヤレスデバイス１１０は、チャネル条件マネージャ１１２を含むことができる。チャネル条件マネージャ１１２は、チャネル条件情報を（たとえば、通信チャネル１３０を介して、または別個の通信チャネルを介して）ワイヤレスデバイス１２０に転送するように構成された論理部を有することができる。チャネル条件情報は、信号対雑音比（ＳＮＲ：ｓｉｇｎａｌ−ｔｏ−ｎｏｉｓｅ  ｒａｔｉｏ）、フェーディング特性、歪み、ビットエラー率、または通信チャネルに関連付けられている１つまたは複数の周波数を特徴付けることができるその他のタイプの品質メトリックを含むことができるが、これらに限定されることはない。一部の例において、チャネル条件情報は、通信チャネルが確立される際にワイヤレスデバイス１２０からパイロットトーンを介して取得されてもよい。これらの例において、チャネル条件マネージャ１１２は、受信したパイロットトーンを解釈して、チャネル条件情報を導くかまたは決定することができる。
【００２０】
一部の例において、図１に示され、後段においてさらに説明されるように、ワイヤレスデバイス１２０は、事前符号化マネージャ１２２を含むことができる。事前符号化マネージャ１２２は、通信チャネル（たとえば、通信チャネル１３０、または別個の通信チャネル）を介してＭＩＭＯ対応ワイヤレスデバイス（たとえば、ワイヤレスデバイス１１０）から受信したチャネル条件情報に基づいて、データを事前符号化するように構成された論理部を有することができる。事前符号化されたデータは、たとえば、通信チャネルに関連付けられた複数の周波数（たとえば、周波数１３２〜１３８）のうちの１つまたは複数を介してＭＩＭＯ対応ワイヤレスデバイスに送信されてもよい。この例において、ワイヤレスデバイス１２０は単一のアンテナしか有していないので、ワイヤレスデバイス１２０はＭＩＭＯ機能が欠如する場合もある。後段においてさらに説明されるように、ワイヤレスデバイス１２０は、転送されたチャネル条件情報を使用してデータを事前符号化して、通信チャネルに関連付けられた複数の周波数のうちの１つまたは複数を介してデータを送信するための信号品質、データスループットおよび、レンジを改善することができる。
【００２１】
一部の例において、ワイヤレスデバイス１１０は、ワイヤレス通信システム１００の基地局に位置してもよいし、また併置されてもよく、ワイヤレスデバイス１２０は、たとえばコンピュータ、ラップトップ、ネットブック、ｅ−ブック、タブレットなどのモバイルまたは固定であってもよいデバイス、携帯電話、スマートフォン、携帯情報端末（ＰＤＡ）、パーソナルメディアプレイヤーデバイス、ワイヤレスＷｅｂ視聴デバイス、パーソナルヘッドセットデバイス、アプリケーション固有デバイスのような小型フォームファクターポータブル（またはモバイル）電子デバイス、または上記の機能のいずれかを含むことができる混合デバイスのタイプに位置してもよいか、または併置されてもよい。
【００２２】
図２は、チャネル条件マネージャ１１２の例示のアーキテクチャを示すブロック図である。図１のワイヤレス通信システム１００について上記で説明されているように、ワイヤレスデバイス１１０は、チャネル条件マネージャ１１２を含む。一部の例において、チャネル条件マネージャ１１２は、チャネル条件情報を決定して、ワイヤレス通信チャネルに結合されたワイヤレスデバイスにチャネル条件情報を転送するように構成または配置された機能および／または論理部を含む。
【００２３】
図２の例示のチャネル条件マネージャ１１２は、条件論理部２１０、制御論理部２２０、メモリ２３０、入出力（Ｉ／Ｏ）インターフェース２４０、およびオプションで１つまたは複数のアプリケーション２５０を含む。図２に示されるように、条件論理部２１０は、制御論理部２２０、メモリ２３０、および入出力インターフェース２４０に結合される。さらに図２に示されるように、オプションのアプリケーション２５０は、制御論理部２２０と連携して配置される。条件論理部２１０はさらに、チャネル機能２１２、決定機能２１４、および転送機能２１６のうちの１つまたは複数、もしくはそれらの任意の妥当な組み合わせを含むことができる。
【００２４】
一部の例において、図２のブロック図に表される要素は、本開示において説明されるチャネル条件マネージャ１１２をサポートまたは使用可能にするように構成される。所与のチャネル条件マネージャ１１２は、図２に示される要素の一部、全部、またはそれよりも多くの要素を含むことができる。たとえば、条件論理部２１０および制御論理部２２０は、チャネル条件マネージャ１１２の機能を実施するために、多種多様な論理デバイス（複数可）を別々に、または集合的に表すことができる。例示の論理デバイスは、コンピュータ、マイクロプロセッサ、マイクロコントローラ、フィールドプログラマブルゲートアレイ（ＦＰＧＡ）、特殊用途向け集積回路（ＡＳＩＣ）、マルチコア／マルチスレッドマイクロプロセッサの隔離スレッドまたはコア、もしくはそれらの組み合わせのうちの１つまたは複数を含むことができる。
【００２５】
一部の例において、図２に示されるように、条件論理部２１０は、チャネル機能２１２、決定機能２１４、および転送機能２１６のうちの１つまたは複数を含む。条件論理部２１０は、これらの機能のうちの１つまたは複数を使用して操作を実行するように構成されてもよい。後段においてさらに詳細に説明されるように、例示の操作は、チャネル条件情報を決定して、ワイヤレス通信チャネルに結合されたワイヤレスデバイスにチャネル条件情報を転送することを含むことができる。
【００２６】
一部の例において、制御論理部２２０は、チャネル条件マネージャ１１２の全体的な操作を制御するように構成されてもよい。前述のように、制御論理部２２０は、チャネル条件マネージャ１１２の制御を実施するために、実行可能コンテンツまたは命令と共に動作するように構成された多種多様な論理デバイス（複数可）のいずれかを表すことができる。一部の代替の例において、制御論理部２２０の特徴および機能は、条件論理部２１０内で実施されてもよい。
【００２７】
一部の例によれば、メモリ２３０は、実行可能コンテンツまたは命令を格納するように配置される。実行可能コンテンツまたは命令は、チャネル条件マネージャ１１２の機能または要素を実施またはアクティブ化するために、制御論理部２２０および／または条件論理部２１０によって使用されてもよい。メモリ２３０はまた、ワイヤレスデバイス１２０に送信されるべきチャネル条件情報を一時的に保持するように配置されてもよい。
【００２８】
メモリ２３０は、揮発性メモリ、不揮発性メモリ、フラッシュメモリ、プログラマブル変数または状態、ランダムアクセスメモリ（ＲＡＭ）、読み取り専用メモリ（ＲＯＭ）、もしくはその他の静的または動的ストレージ媒体のうちの１つまたは複数を含む多種多様なメモリ媒体を含むことができるが、それらに限定されることはない。
【００２９】
一部の例において、入出力インターフェース２４０は、チャネル条件マネージャ１１２と、ワイヤレスデバイス１１０に常駐するかまたはワイヤレスデバイス１１０と併置される要素との間の内部通信媒体またはリンクを介してインターフェースを提供することができる。入出力インターフェース２４０は、内部通信リンク（たとえば、Ｉｎｔｅｒ−Ｉｎｔｅｇｒａｔｅｄ  Ｃｉｒｃｕｉｔ（Ｉ２Ｃ）、システム管理バス（ＳＭＢｕｓ）、またはＳｅｒｉａｌ  Ｐｅｒｉｐｈｅｒａｌ  Ｉｎｔｅｒｆａｃｅ  Ｂｕｓ（ＳＰＩ）など）を介して通信するために、さまざまな通信プロトコルに従って動作するインターフェースを含むことができる。入出力インターフェース２４０はまた、チャネル条件マネージャ１１２と、ワイヤレスデバイス１２０のようなワイヤレスデバイス１１０に結合された要素との間のインターフェースを提供することができる。図１について上記で説明されているように、ワイヤレスデバイス１１０は、通信チャネル１３０を介してそれらの要素に結合することができるか、または別個の通信チャネル（図示せず）を介して結合することもできる。たとえば、入出力インターフェース２４０は、チャネル条件マネージャ１１２が通信チャネル１３０を介して通信できるようにするため、さまざまなワイヤレス通信プロトコルに従って動作するように構成されたインターフェースを含む（たとえば、ＩＥＥＥ８０２．１１ｎ、ＩＥＥＥ８０２．１６ｅ、ＬＴＥ、３ＧＰＰ、およびＥ−Ｕｌｔｒａ）。
【００３０】
一部の例において、チャネル条件マネージャ１１２は、制御論理部２２０および／または条件論理部２１０に命令を提供するために１つまたは複数のアプリケーション２５０を含む。たとえば、命令は、チャネル条件マネージャ１１２が、チャネル機能２１２、決定機能２１４、および転送機能２１６のうちの１つまたは複数を実施または使用するための命令を含むことができる。
【００３１】
図３は、事前符号化マネージャ１２２の例示のアーキテクチャを示すブロック図である。図１のワイヤレス通信システム１００について上記で説明されているように、ワイヤレスデバイス１２０は、事前符号化マネージャ１２２を含む。一部の例において、事前符号化マネージャ１２２は、通信チャネル（たとえば、通信チャネル１３０）のチャネル条件情報を（たとえば、通信チャネル１３０を介して、または別個に保持された通信チャネルを介して）受信し、チャネル条件情報に基づいてデータを事前符号化して、事前符号化されたデータを通信チャネルを介してワイヤレスデバイスに送信するように構成または配置された機能および／または論理部を含む。
【００３２】
図３の例示の事前符号化マネージャ１２２は、データ論理部３１０、制御論理部３２０、メモリ３３０、入出力（Ｉ／Ｏ）インターフェース３４０、およびオプションで１つまたは複数のアプリケーション３５０を含む。図３に示されるように、データ論理部３１０は、制御論理部３２０、メモリ３３０、および入出力インターフェース３４０に結合される。さらに図３に示されるように、オプションのアプリケーション３５０は、制御論理部３２０と連携して配置される。データ論理部３１０はさらに、チャネル機能３１２、受信機能３１４、事前符号化機能３１６、および送信機能３１８のうちの１つまたは複数、もしくはそれらの任意の妥当な組み合わせを含むことができる。
【００３３】
一部の例において、図３のブロック図に表される要素は、本開示において説明される事前符号化マネージャ１２２をサポートまたは使用可能にするように構成される。所与の事前符号化マネージャ１２２は、図３に示される要素の一部、全部、またはそれよりも多くの要素を含むことができる。たとえば、データ論理部３１０および制御論理部３２０は、事前符号化マネージャ１２２の機能を実施するために、多種多様な論理デバイス（複数可）を別々に、または集合的に表すことができる。前述のように、例示の論理デバイスは、コンピュータ、マイクロプロセッサ、マイクロコントローラ、ＦＰＧＡ、ＡＳＩＣ、マルチコア／マルチスレッドマイクロプロセッサの隔離スレッドまたはコア、もしくはそれらの組み合わせのうちの１つまたは複数を含むことができる。
【００３４】
一部の例において、図３に示されるように、データ論理部３１０は、チャネル機能３１２、受信機能３１４、事前符号化機能３１６、および送信機能３１８のうちの１つまたは複数を含む。データ論理部３１０は、これらの機能のうちの１つまたは複数を使用して操作を実行するように構成されてもよい。後段においてさらに詳細に説明されるように、例示の操作は、通信チャネルのチャネル条件情報を受信し、チャネル条件情報に基づいてデータを事前符号化して、事前符号化されたデータを通信チャネルを介してワイヤレスデバイスに送信することを含むことができる。
【００３５】
一部の例において、制御論理部３２０は、事前符号化マネージャ１２２の全体的な操作を制御するように構成されてもよい。前述のように、制御論理部３２０は、事前符号化マネージャ１２２の制御を実施するために、実行可能コンテンツまたは命令と共に動作するように構成された多種多様な論理デバイス（複数可）のいずれかを表すことができる。一部の代替の例において、制御論理部３２０の特徴および機能は、データ論理部３１０内で実施されてもよい。
【００３６】
上記で説明されるメモリ２３０と同様に、メモリ３３０は、多種多様なメモリ媒体を含むことができる。一部の例によれば、メモリ３３０は、実行可能コンテンツまたは命令を格納するように配置される。実行可能コンテンツまたは命令は、事前符号化マネージャ１２２の機能または要素を実施またはアクティブ化するために、制御論理部３２０および／またはデータ論理部３１０によって使用されてもよい。メモリ３３０はまた、データを事前符号化するために使用される受信したチャネル条件情報の少なくとも一部を一時的に保持するように配置されてもよい。
【００３７】
上記で説明される入出力インターフェース２４０と同様に、入出力インターフェース３４０は、事前符号化マネージャ１２２と、ワイヤレスデバイス１２０に常駐するかまたはワイヤレスデバイス１２０と併置される要素との間の内部通信媒体またはリンクを介してインターフェースを提供することができる。入出力インターフェース３４０はまた、事前符号化マネージャ１２２と、ワイヤレスデバイス１１０のようなワイヤレスデバイス１２０に結合された要素との間のインターフェースを提供することができる。
【００３８】
一部の例において、事前符号化マネージャ１２２は、制御論理部３２０および／またはデータ論理部３１０に命令を提供するために１つまたは複数のアプリケーション３５０を含む。たとえば、命令は、事前符号化マネージャ１２２が、チャネル機能徴３１２、受信機能３１４、事前符号化機能３１６、および送信機能３１８のうちの１つまたは複数を実施または使用するための命令を含むことができる。
【００３９】
図４は、チャネル条件情報を転送するための例示の方法を示す流れ図である。一部の例において、図１に示されるワイヤレス通信システム１００は、図４に示される流れ図に関連する例示の方法を表すために使用される。図２に示されるチャネル条件マネージャ１１２を有するワイヤレスデバイス１１０はまた、例示の方法を表すために使用されてもよい。しかし、説明される方法は、図１に示されるワイヤレス通信システム１００での実施、または図２に示されるチャネル条件マネージャ１１２に限定されることはない。例示の方法は、図１または図２に示される要素のうちの１つまたは複数を有するその他のワイヤレス通信システムで実施されてもよい。
【００４０】
ブロック４１０（通信チャネルを確立する）から開始し、ワイヤレスデバイス１１０のチャネル条件マネージャ１１２は、ワイヤレスデバイス１２０との通信チャネル１３０を（たとえば、チャネル機能２１２を介して）確立するように構成された論理部および／または機能を含むことができる。一部の例において、通信チャネル１３０は、ＩＥＥＥ８０２．１１ｎのようなワイヤレス規格に従って確立されてもよいが、本開示はＩＥＥＥ８０２．１１ｎのみに限定されることはない。
【００４１】
ブロック４１０からブロック４２０（チャネル条件情報を決定する）へと進み、チャネル条件マネージャ１１２は、（たとえば、決定機能２１２を介して）通信チャネル１３０のチャネル条件情報を決定するように構成された論理部および／または機能を含むことができる。一部の例において、チャネル条件情報は、信号対雑音比（ＳＮＲ）、フェーディング特性、歪み、ビットエラー率、または通信チャネル１３０の周波数１３２〜１３８を特徴付けることができるその他のタイプの品質メトリックを含むことができるが、これらに限定されることはない。チャネル条件情報は、たとえば、通信チャネル１３０がワイヤレスデバイス１２０との間で確立および／または保持される際にアンテナアレイ１１４の複数のアンテナから取得された特性情報に、少なくとも部分的に基づいてもよい。一部の例において、チャネル条件情報は、通信チャネル１３０を介して取得されてもよいか、または通信チャネル１３０が最初に確立される際にワイヤレスデバイス１２０から受信したパイロットトーンを介して取得されてもよい。
【００４２】
ブロック４２０から決定ブロック４３０（しきい値を超過したか？）に進み、チャネル条件マネージャ１１２は、通信チャネル１３０のチャネル条件情報が所与のしきい値を超過する量で変化したかどうかを決定するように構成された論理部および／または機能を含むことができる。たとえば、しきい値は、通信チャネル１３０に関連付けられている１つまたは複数の周波数の品質メトリックの変化率を含むことができる。一部の例において、ワイヤレスデバイス１２０は、（たとえば、移動中の車両内で）速く移動しているか、または（たとえば、干渉する信号および／または構造物など）チャネル条件の急激な変動を生じさせる環境に入っている。これらの例に対して、チャネル通信情報は、より高いレートで転送される必要がある。しきい値は、増大したレートでチャネル条件情報を転送するためにワイヤレスデバイス１１０によって消費されるリソースのコスト（たとえば、ダウンリンク容量の減少）が、データを事前符号化するためにその情報を使用するワイヤレスデバイス１２０の利点（たとえば、アップリンク容量の増大）を上回るポイントに基づいて確立されてもよい。したがって、これらの例において、処理は、しきい値を超過しない場合、決定ブロック４３０からブロック４４０へと続行することができる。それ以外の場合、しきい値を超過する場合、処理は、決定ブロック４３０からブロック４２０へと移動する。
【００４３】
ブロック４４０（チャネル条件情報を転送する）において、チャネル条件マネージャ１１２は、（たとえば、転送機能２１６を介して）通信チャネル１３０のチャネル条件情報をワイヤレスデバイス１２０に転送するように構成された論理部および／または機能を含むことができる。一部の例において、チャネル条件情報は、通信チャネル１３０を介して転送されるか、または別個に保持される測波帯通信チャネルを介して転送されてもよい。
【００４４】
ブロック４４０から決定ブロック４５０（通信チャネルはアクティブであるか？）へと進み、チャネル条件マネージャ１１２は、（たとえば、チャネル機能２１２を介して）通信チャネル１３０が引き続きアクティブ化および／または保持されているかどうかを決定するように構成された論理部および／または機能を含むことができる。通信チャネル１３０が非アクティブであると見なされる場合、プロセスは終了する。それ以外の場合、プロセスはブロック４２０に戻り、チャネル条件マネージャ１２２は再度、通信チャネル１３０のチャネル条件情報を決定する。
【００４５】
図５は、チャネル条件情報を受信し、受信したチャネル条件情報に基づいてデータを事前符号化するための例示の方法を示す流れ図である。一部の例において、図１に示されるワイヤレス通信システム１００は、図５に示される流れ図に関連する例示の方法を表すために使用される。図３に示される事前符号化マネージャ１２２を有するワイヤレスデバイス１２０はまた、例示の方法を表すために使用されてもよい。しかし、説明される方法は、図１に示されるワイヤレス通信システム１００での実施、または図３に示される事前符号化マネージャ１２２に限定されることはない。例示の方法は、図１または図３に示される要素のうちの１つまたは複数を有するその他のワイヤレス通信システムで実施されてもよい。
【００４６】
ブロック５１０（通信チャネルを確立する）から開始し、ワイヤレスデバイス１２０の事前符号化マネージャ１２２は、ワイヤレスデバイス１１０との通信チャネル１３０を（たとえば、チャネル機能３１２を介して）確立するように構成された論理部および／または機能を含むことができる。一部の例において、前述のように、通信チャネル１３０は、ＩＥＥＥ８０２．１１ｎのようなワイヤレス規格に従って確立されてもよい。
【００４７】
ブロック５１０からブロック５２０（チャネル条件情報を受信する）へと進み、ワイヤレスデバイス１１０の事前符号化マネージャ１２２は、ワイヤレスデバイス１１０のチャネル条件マネージャ１１２から転送されたチャネル条件情報を（たとえば、受信機能３１４を介して）受信するように構成された論理部および／または機能を含むことができる。一部の例において、チャネル条件情報は、ワイヤレスデバイス１１０の単一のアンテナ１２４経由で通信チャネル１３０を介して受信されるか、または別個に保持される通信チャネル（たとえば、測波帯通信チャネル）を介して受信されてもよい。
【００４８】
ブロック５２０から決定ブロック５３０（送信するデータはあるか？）に進み、事前符号化マネージャ１２２は、通信チャネル１３０を介してワイヤレスデバイス１１０への送信にデータが使用可能であるかどうかを決定することができる。一部の例において、データは、音声、ビデオ、オーディオ、またはその他のタイプのデータを含むことができるが、これらに限定されることはない。データがワイヤレスデバイス１１０への送信に使用可能である場合、プロセスはブロック５４０に進む。それ以外の場合、処理はブロック５２０に戻る。
【００４９】
ブロック５４０（データを事前符号化する）において、事前符号化マネージャ１２２は、通信チャネル１３０を介してワイヤレスデバイス１１０に送信すべきデータを（たとえば、事前符号化機能３１６を介して）事前符号化するように構成された論理部および／または機能を含むことができる。一部の例において、データは、ワイヤレスデバイス１１０から転送されたチャネル条件情報に基づいて事前符号化される。たとえば、チャネル条件情報は、周波数１３４および１３６が最も好ましい信号対雑音比を有すること、および／または周波数１３２および１３８と比較してより好ましいフェーディング特性を有することも指示することができる。好ましい品質メトリックを有する結果として、事前符号化マネージャ１２２は、周波数１３４および１３６を介して送信すべきデータの全部または多くを事前符号化することができる。周波数１３４および１３６の好ましい品質メトリックに少なくとも部分的に基づいて、それらの周波数で送信するデータの全部または多くを事前符号化することは、ワイヤレスデバイス１２０が事前符号化されたデータを受信するときに観測される信号品質およびデータスループットを増大させることができる。たとえば、事前符号化は、信号品質およびデータスループットの増大を容易にするための空間ビーム形成および空間符号化を含むことができる。
【００５０】
ブロック５４０からブロック５５０（事前符号化されたデータを送信する）へと進み、事前符号化マネージャ１２２は、事前符号化されたデータを通信チャネル１３０を介してワイヤレスデバイス１１０に（たとえば、送信機能３１８を介して）送信するように構成された論理部および／または機能を含むことができる。一部の例において、前述のように、データは、周波数１３４および１３６を介して送信するために事前符号化されていてもよい。事前符号化されたデータは、ワイヤレスデバイス１２０の単一のアンテナ１２４を通じて送信されてもよい。
【００５１】
ブロック５５０から決定ブロック５６０（通信チャネルはアクティブであるか？）へと進み、事前符号化マネージャ１２２は、（たとえば、チャネル機能３１２を介して）通信チャネル１３０が引き続きアクティブ化および／または保持されているかどうかを決定するように構成された論理部および／または機能を含むことができる。通信チャネル１３０が非アクティブであると見なされる場合、プロセスは終了する。それ以外の場合、プロセスはブロック５２０に戻り、事前符号化マネージャ１２２は、通信チャネル１３０のチャネル条件情報の受信を待つか、または更新済みのチャネル条件情報が受信されなかった（たとえば、変化しきい値を超過した）場合、既存のチャネル条件情報で次のデータのビットを事前符号化することができる。
【００５２】
図６は、例示のコンピュータプログラム製品６００を示すブロック図である。一部の例において、図６に示されるように、コンピュータプログラム製品６００は、ワイヤレス通信チャネル（たとえば、通信チャネル１３０）を介して事前符号化されたデータを送信するための命令６０４を含むこともできる信号搬送媒体６０２を含む。命令６０４は、論理部（たとえば、データ論理部３１０）によって実行されるとき、論理部に、複数のアンテナ（たとえば、アンテナアレイ１１４）を有する送信機（たとえば、ワイヤレスデバイス１１０）から、単一のアンテナ（たとえば、アンテナ１２４）を介してチャネル条件情報を受信させることができ、チャネル条件情報は、ワイヤレス通信チャネルに関連付けられた複数の周波数（たとえば、周波数１３２〜１３８）のうちの１つまたは複数を介してデータを送信機に送信することに関連する情報を含む。命令６０４はまた、論理部に、チャネル条件情報に基づいて複数の周波数のうちの１つまたは複数を介して送信機に送信すべきデータを事前符号化させることができる。命令６０４はさらに、論理部に、複数の周波数のうちの１つまたは複数を介して事前符号化されたデータを送信機に送信させることができる。
【００５３】
さらに、一部の例において、図６に示されるように、コンピュータ製品６００は、コンピュータ可読媒体６０６、記録可能媒体６０８、および通信媒体６１０のうちの１つまたは複数を含むことができる。これらの要素を囲む点線のボックスは、信号搬送媒体６０２内に含まれるさまざまなタイプの媒体を示すが、これに限定されることはない。これらのタイプの媒体は、論理部（たとえば、データ論理部３１０）によって実行されるように、命令６０４を配布することができる。コンピュータ可読媒体６０６および記録可能媒体６０８は、フレキシブルディスク、ハードディスクドライブ（ＨＤＤ）、コンパクトディスク（ＣＤ）、デジタル多用途ディスク（ＤＶＤ）、デジタルテープ、コンピュータメモリなどを含むことができるが、これらに限定されることはない。通信媒体６１０は、デジタルおよび／またはアナログ通信媒体（たとえば、光ファイバケーブル、導波管、有線通信リンク、ワイヤレス通信リンクなど）を含むことができるが、これらに限定されることはない。
【００５４】
図７は、例示のコンピューティングデバイス７００を示す図である。一部の例において、図１〜図３に示されるチャネル条件マネージャ１１２および／または事前符号化マネージャ１２２は、コンピューティングデバイス７００において実施されてもよい。これらの例において、コンピューティングデバイス７００の要素は、チャネル条件情報を転送して、転送されたチャネル条件情報に基づいてデータを事前符号化するように配置または構成されてもよい。極めて基本的な構成７０１において、コンピューティングデバイス７００は通常、１つまたは複数のプロセッサ７１０およびシステムメモリ７２０を含む。メモリバス７３０は、プロセッサ７１０とシステムメモリ７２０との間で通信するために使用されてもよい。
【００５５】
望ましい構成に応じて、プロセッサ７１０は、マイクロプロセッサ（μＰ）、マイクロコントローラ（μＣ）、デジタル信号プロセッサ（ＤＳＰ）、またはそれらの任意の組み合わせを含む任意のタイプであってもよいが、これらに限定されることはない。プロセッサ７１０は、レベル１キャッシュ７１１およびレベル２キャッシュ７１２のような、１つまたは複数のレベルのキャッシング、プロセッサコア７１３、およびレジスタ７１４を含むことができる。プロセッサコア７１３は、演算論理装置（ＡＬＵ：ａｒｉｔｈｍｅｔｉｃ  ｌｏｇｉｃ  ｕｎｉｔ）、浮動小数点ユニット（ＦＰＵ：ｆｌｏａｔｉｎｇ  ｐｏｉｎｔ  ｕｎｉｔ）、デジタル信号処理コア（ＤＳＰ  Ｃｏｒｅ）、またはそれらの任意の組み合わせを含むことができる。メモリコントローラ７１５はまた、プロセッサ７１０と共に使用されてもよいか、または一部の実施態様において、メモリコントローラ７１５はプロセッサ７１０の内部部品であってもよい。
【００５６】
望ましい構成に応じて、システムメモリ７２０は、（ＲＡＭのような）揮発性メモリ、（ＲＯＭ、フラッシュメモリなどのような）不揮発性メモリ、またはそれらの任意の組み合わせを含む任意のタイプであってもよいが、これらに限定されることはない。システムメモリ７２０は通常、オペレーティングシステム７２１、１つまたは複数のアプリケーション７２２、およびプログラムデータ７２４を含む。アプリケーション７２２は、図２および図３に示されるチャネル条件マネージャ１１２または事前符号化マネージャ１２２のアーキテクチャに関して説明されているアクションを含むか、または図４に示される流れ図に関して説明されているアクションを含む、本明細書において説明される機能を実行するように配置される命令７２３を含む。プログラムデータ７２４は、命令７２３（たとえば、チャネル条件情報を決定する、データを事前符号化するなど）の実施に有用なチャネルデータ７２５を含む。一部の例において、アプリケーション７２２は、チャネル条件情報を転送すること、または転送されたチャネル条件情報に基づいてデータを事前符号化することを実施することが、本明細書に説明されるように提供されうるように、オペレーティングシステム７２１でプログラムデータ７２４により動作するように配置されてもよい。この説明される基本構成は、破線７０１内のコンポーネントにより図７に示される。
【００５７】
コンピューティングデバイス７００は、基本構成７０１と任意の必要とされるデバイスおよびインターフェースとの間の通信を容易にするために、追加の特徴または機能、および追加のインターフェースを有することができる。たとえば、バス／インターフェースコントローラ７４０は、ストレージインターフェースバス７４１を介して基本構成７０１と１つまたは複数のデータストレージデバイス７５０との間の通信を容易にするために使用されてもよい。データストレージデバイス７５０は、取り外し可能ストレージデバイス７５１、固定式ストレージデバイス７５２、またはその組み合わせであってもよい。取り外し可能ストレージデバイスおよび固定式ストレージデバイスの例は、ほんの一部をあげると、フレキシブルディスクドライブおよびハードディスクドライブ（ＨＤＤ）のような磁気ディスクデバイス、コンパクトディスク（ＣＤ）ドライブまたはデジタル多用途ディスク（ＤＶＤ）ドライブのような光ディスクドライブ、ソリッドステートドライブ（ＳＳＤ）、およびテープドライブを含む。例示のコンピュータストレージ媒体は、コンピュータ可読命令、データ構造、プログラムモジュールおよびその他のデータのような情報の格納のための任意の方法または技術で実施された揮発性および不揮発性の、取り外し可能および固定式メディアを含むことができる。
【００５８】
システムメモリ７２０、取り外し可能ストレージ７５１、および固定式ストレージ７５２はすべて、コンピュータストレージ媒体の例である。コンピュータストレージ媒体は、ＲＡＭ、ＲＯＭ、ＥＥＰＲＯＭ、フラッシュメモリまたはその他のメモリ技術、ＣＤ−ＲＯＭ、デジタル多用途ディスク（ＤＶＤ）またはその他の光ストレージ、磁気カセット、磁気テープ、磁気ディスクストレージまたはその他の磁気ストレージデバイス、もしくは望ましい情報を格納するために使用されうる、コンピューティングデバイス７００によってアクセスされうる任意の他の媒体を含むが、これらに限定されることはない。任意のそのようなコンピュータストレージ媒体は、デバイス７００の一部を構成することができる。
【００５９】
コンピューティングデバイス７００はまた、バス／インターフェースコントローラ７４０を介して、さまざまなインターフェースデバイス（たとえば、出力インターフェース、周辺インターフェース、および通信インターフェース）から基本構成７０１への通信を容易にするために、インターフェースバス７４２を含むことができる。例示の出力インターフェース７６０は、グラフィックス処理ユニット７６１およびオーディオ処理ユニット７６２を含み、これらは１つまたは複数のＡ／Ｖポート７６３を介してディスプレイまたはスピーカのようなさまざまな外部デバイスと通信するように構成されてもよい。例示の周辺インターフェース７６０は、シリアルインターフェースコントローラ７７１またはパラレルインターフェースコントローラ７７２を含み、これらは１つまたは複数の入出力ポート７７３を介して入力デバイス（たとえば、キーボード、マウス、ペン、音声入力デバイス、タッチ入力デバイスなど）またはその他の周辺デバイス（たとえば、プリンタ、スキャナなど）のような外部デバイスと通信するように構成されてもよい。例示の通信インターフェース７８０はネットワークコントローラ７８１を含み、これは１つまたは複数の通信ポート７８２を介するネットワーク通信上の１つまたは複数のその他のコンピューティングデバイス７９０との通信を容易にするために配置されてもよい。ネットワーク通信接続は、通信媒体の一例である。通信媒体は通常、搬送波または他のトランスポート機構のような、変調データ信号のコンピュータ可読命令、データ構造、プログラムモジュール、またはその他のデータによって具現されてもよく、任意の情報配信媒体を含む。「変調データ信号」は、信号の特性セットの１つまたは複数を有する信号、もしくは信号の情報をエンコードするような方法で変更された信号であってもよい。限定的ではなく、一例として、通信媒体は、有線ネットワークまたは直接有線接続のような有線媒体、ならびに音響、無線周波数（ＲＦ）、赤外線（ＩＲ）および他のワイヤレス媒体のようなワイヤレス媒体を含むことができる。本明細書に使用されているコンピュータストレージ媒体という用語は、ストレージ媒体および通信媒体の両方を含むことができる。
【００６０】
コンピューティングデバイス７００は、携帯電話、スマートフォン、携帯情報端末（ＰＤＡ）、パーソナルメディアプレイヤーデバイス、ワイヤレスＷｅｂ視聴デバイス、パーソナルヘッドセットデバイス、アプリケーション固有デバイスのような小型フォームファクターポータブル（またはモバイル）電子デバイス、または上記の機能のいずれかを含む混合デバイスの一部として実施されてもよい。コンピューティングデバイス７００はまた、ラップトップコンピュータおよびラップトップコンピュータ以外の構成を含むパーソナルコンピュータとして実施されてもよいか、もしくはワークステーションまたはサーバ構成で実施されてもよい。
【００６１】
本開示において参照される用語「に応じて（ｒｅｓｐｏｎｓｉｖｅ  ｔｏ）」または「に応答して（ｉｎ  ｒｅｓｐｏｎｓｅ  ｔｏ）」は、特定の特徴および／または構造に対する反応性に限定されることはない。特徴はまた、別の特徴および／または構造に応じてもよく、さらにその特徴および／または構造内に位置してもよい。加えて、「結合された（ｃｏｕｐｌｅｄ）」または「応じて（ｒｅｓｐｏｎｓｉｖｅ）」または「に応答して（ｉｎ  ｒｅｓｐｏｎｓｅ  ｔｏ）」もしくは「通信して（ｉｎ  ｃｏｍｍｕｎｉｃａｔｉｏｎ  ｗｉｔｈ）」などの用語または句が本明細書または後続の特許請求の範囲において使用される場合、これらの用語は広範に解釈されるべきである。たとえば、「に結合された（ｃｏｕｐｌｅｄ  ｔｏ）」という句は、句が使用される文脈に適切に、通信的、電気的、および／または操作的に結合されていることを示すことができる。
【００６２】
本明細書で説明したやり方で装置および／またはプロセスを記載し、その後そのように記載された装置（たとえば、送信機、受信機、ワイヤレス装置、コンピューティングプラットフォーム、コンピューティング装置など）および／または方法を、データ処理システムに統合するためにエンジニアリング方式を使用することは、当技術分野で一般的であることを当業者は認識するであろう。すなわち、本明細書に記載された装置および／または方法の少なくとも一部を、妥当な数の実験によってデータ処理システムに統合することができる。通常のデータ処理システムは、一般に、システムユニットハウジング、ビデオディスプレイ装置、揮発性メモリおよび不揮発性メモリなどのメモリ、マイクロプロセッサおよびデジタル信号プロセッサなどのプロセッサ、オペレーティングシステムなどの計算実体、ドライバ、グラフィカルユーザインターフェース、およびアプリケーションプログラムのうちの１つもしくは複数、タッチパッドもしくはスクリーンなどの１つもしくは複数の相互作用装置、ならびに／またはフィードバックループおよびコントロールモータを含むコントロールシステム（たとえば、位置検知用および／もしくは速度検知用フィードバック、コンポーネントの移動用および／もしくは数量の調整用コントロールモータ）を含むことを、当業者は理解するであろう。通常のデータ処理システムは、データコンピューティング／通信システムおよび／またはネットワークコンピューティング／通信システムの中に通常見られるコンポーネントなどの、市販の適切なコンポーネントを利用して実装することができる。
【００６３】
本明細書に記載された主題は、さまざまなコンポーネントまたは要素をしばしば例示しており、これらのコンポーネントまたは要素は、他のさまざまなコンポーネントまたは要素に包含されるか、または他のさまざまなコンポーネントまたは要素に接続される。そのように図示されたアーキテクチャは、単に例にすぎず、実際には、同じ機能を実現する多くの他のアーキテクチャが実装可能であることが理解されよう。概念的な意味で、同じ機能を実現するコンポーネントの任意の構成は、所望の機能が実現されるように効果的に「関連付け」される。したがって、特定の機能を実現するために組み合わされた、本明細書における任意の２つのコンポーネントは、アーキテクチャまたは中間のコンポーネントにかかわらず、所望の機能が実現されるように、お互いに「関連付け」されていると見ることができる。同様に、そのように関連付けされた任意の２つのコンポーネントは、所望の機能を実現するために、互いに「動作可能に接続」または「動作可能に結合」されていると見なすこともでき、そのように関連付け可能な任意の２つのコンポーネントは、所望の機能を実現するために、互いに「動作可能に結合できる」と見なすこともできる。動作可能に結合できる場合の具体例には、物理的にかみ合わせ可能な、および／もしくは物理的に相互作用するコンポーネント、ならびに／またはワイヤレスに相互作用可能な、および／もしくはワイヤレスに相互作用するコンポーネント、ならびに／または論理的に相互作用する、および／もしくは論理的に相互作用可能なコンポーネントが含まれるが、それらに限定されない。
【００６４】
本明細書における実質的にすべての複数形および／または単数形の用語の使用に対して、当業者は、状況および／または用途に適切なように、複数形から単数形に、および／または単数形から複数形に変換することができる。さまざまな単数形／複数形の置き換えは、理解しやすいように、本明細書で明確に説明することができる。
【００６５】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む発明に限定する、ということを示唆していると解釈されるべきではない（たとえば、「ａ」および／または「ａｎ」は、通常、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、通常、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、通常、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（たとえば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（たとえば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、など���有するシステムを含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【図１】
2013541266.tif 000003
【図２】
2013541266.tif 000004
【図３】
2013541266.tif 000005
【図４】
2013541266.tif 000006
【図５】
2013541266.tif 000007
【図６】
2013541266.tif 000008
【図７】
2013541266.tif 000009
【国際調査報告】
2013541266.tif 000010
2013541266.tif 000011